(57)【要約】【課題】一つの基板で両面のディスプレイが可能な液晶表示装置を提供する。【解決手段】共通電極を備えた第１基板と、ｎ個のスキャン電極とｍ個の信号電極を備えた第２基板と、第１、第２基板の間に注入された液晶層とを備えた液晶表示装置を第１領域と第２領域とに区分して、第１領域は第１方向にディスプレイされ、第２領域は第２方向にディスプレイされるように偏光板と反射板が対称的に配置されることを特徴とする。【選択図】図３
2005055926.tif 000002
【特許請求の範囲】
【請求項１】
共通電極を備えた第１基板と、ｎ個のスキャン電極とｍ個の信号電極を備えた第２基板と、前記第１、第２基板の間に注入された液晶層とを備えた液晶表示装置を第１領域と第２領域とに区分して、第１領域は第１方向にディスプレイされ、第２領域は第２方向にディスプレイされるように偏光板と反射板が対称的に配置され、第１反射板と第１偏光板は第１領域上に配置され、第２反射板と第２偏光板は第２領域上に配置され、前記ｍ個の信号電極は共通にして、１からｋ番目までのスキャン電極を第１領域とし、ｋ＋１からｎ番目までのスキャン電極を第２領域として区分することを特徴とする液晶表示装置。
【請求項２】
共通電極を備えた第１基板と、ｎ個のスキャン電極とｍ個の信号電極を備えた第２基板と、前記第１、第２基板の間に注入された液晶層とを備えた液晶表示装置を第１領域と第２領域とに区分して、第１領域は第１方向にディスプレイされ、第２領域は第２方向にディスプレイされるように偏光板と反射板が対称的に配置され、第１反射板と第１偏光板は第１領域上に配置され、第２反射板と第２偏光板は第２領域上に配置され、前記ｎ個のスキャン電極は共通にして、１からｋ番目までの信号電極を第１領域とし、ｋ＋１からｍ番目までの信号電極を第２領域として区分することを特徴とする液晶表示装置。
【請求項３】
共通電極を備えた第１基板と、ｎ個のスキャン電極とｍ個の信号電極を備えた第２基板と、前記第１、第２基板の間に注入された液晶層とを備えた液晶表示装置を第１領域と第２領域とに区分して、第１領域は第１方向にディスプレイされ、第２領域は第２方向にディスプレイされるように偏光板と反射板が対称的に配置され、第１反射板と第１偏光板は第１領域上に配置され、第２反射板と第２偏光板は第２領域上に配置され、前記ｍ個の信号電極は共通にして、１からｋ番目までのスキャン電極を第１領域とし、ｋ＋１からｎ番目までのスキャン電極を第２領域として区分することを特徴とする液晶表示装置を有する移動通信端末機。
【請求項４】
共通電極を備えた第１基板と、ｎ個のスキャン電極とｍ個の信号電極を備えた第２基板と、前記第１、第２基板の間に注入された液晶層とを備えた液晶表示装置を第１領域と第２領域とに区分して、第１領域は第１方向にディスプレイされ、第２領域は第２方向にディスプレイされるように偏光板と反射板が対称的に配置され、第１反射板と第１偏光板は第１領域上に配置され、第２反射板と第２偏光板は第２領域上に配置され、前記ｎ個のスキャン電極は共通にして、１からｋ番目までの信号電極を第１領域とし、ｋ＋１からｍ番目までの信号電極を第２領域として区分することを特徴とする液晶表示装置を有する移動通信端末機。
【請求項５】
第１基板と、
前記第１基板の下側に位置した第２基板と、
前記第１基板と第２基板との間に形成された液晶層と、
前記第１基板の第１位置に形成された第１正面偏光板と、
前記第１基板の第２位置に形成された第１後面偏光板と、
前記第１基板の第２位置で前記後面偏光板の上に位置した第１反射板と、
前記第２基板の第１位置の下に形成された第２後面偏光板と、
前記第２基板の第１位置の下に前記第２後面偏光板の下に位置した第２反射板と、
前記第２基板の第２位置の下に位置する第２正面偏光板を含むことを特徴とする液晶表示装置。
【請求項６】
前記第１正面偏光板は前記第２後面偏光板及び第２反射板と実質的に整列していることを特徴とする請求項５記載の液晶表示装置。
【請求項７】
前記第２正面偏光板は前記第１後面偏光板及び第１反射板と実質的に整列していることを特徴とする請求項５記載の液晶表示装置。
【請求項８】
前記液晶層は液晶層を通過時光の位相が変化する第１スイッチング状態と、光の位相が変化しない第２スイッチング状態とを有することを特徴とする請求項１記載の液晶表示装置。
【請求項９】
前記液晶層に電場を供給するための第１及び第２電極を更に含むことを特徴とする請求項１記載の液晶表示装置。
【請求項１０】
第１側及び第１側と反対の第２側を有し、第１領域は第１側で見られ、前記第２領域は第２側で見られる、前記第１領域及び前記第１領域に隣接した第２領域を有する液晶表示装置。
【発明の詳細な説明】
【技術分野】
【０００１】
本発明は液晶表示装置、特に両面でディスプレイが可能な液晶表示装置を提供し、移動通信端末機の表示装置に適用して、カバーを開放せずにディスプレイされる内容を認識できるようにした液晶表示装置及びこれを用いた移動通信端末機に関する。
【背景技術】
【０００２】
以下、従来の液晶表示装置を説明する。
【０００３】
図１は一般的な液晶表示装置の構造断面図であり、図２は一般の液晶表示装置を用いた両面表示装置の構成図である。
【０００４】
従来の液晶表示装置は、図１に示すように、スキャン電極パターン及び信号電極パターンと画素電極パターンが形成される下部基板１３と、共通電極パターン及びブラックマトリックスとカラーフィルター層が形成される上部基板１２と、前記上部基板１２と下部基板１３との間に注入される液晶１４とより構成されている。
【０００５】
また、前記上部基板１２の上部面と下部基板１３の下部面のそれぞれに文字や数字又は図形がディスプレイされる過程で、光の屈折による位相差を補償するための偏光板１１、１５が配置され、前記偏光板１５の底面部に光の前方反射のための反射板１６が配置されて成る。
【０００６】
前記液晶１４が注入される上部基板１２と下部基板１３はガラスを用いるか、光の透過性の優れたフィルムから成り、上部基板１２と下部基板１３に形成される電極のパターンはドットマトリックス方式やセグメント方式、又はドットマトリックス方式とセグメント方式とを混用することができる。
【０００７】
このような構成を有する液晶表示装置の二つを任意の製品に適用して、文字や数字及び図形などを製品の両面でディスプレイするための装置は次の通りである。
【０００８】
図２に示すように、信号電極とスキャン電極をそれぞれ備えた第１、第２液晶表示装置２６ａ、２６ｂと、入力される映像信号を分析して、文字や数字又は図形のディスプレイのための制御信号を出力する制御器２１と、揮発性メモリ素子として入力信号の一時貯蔵やブートしたデータを貯蔵して、前記制御器２１の処理動作が迅速に行われるようにする第１メモリ２２と、不揮発性メモリ素子として前記制御器２１の全般的な運用アルゴリズムが設定される第２メモリ２３と、前記制御器２１の制御信号に従って、前記第１液晶表示装置２６ａの信号電極及びスキャン電極を駆動して映像信号をディスプレイする第１駆動部２４ａと、前記制御器２１の制御信号に従って、前記第２液晶表示装置２６ｂの信号電極及びスキャン電極を駆動して映像信号をディスプレイする第２駆動部２４ｂと、前記制御器２１から印加される文字や数字又は図形の実現のための信号を貯蔵する第１、第２フレームメモリ２５ａ、２５ｂとがそれぞれ備えられる。
【０００９】
即ち、別途の信号電極とスキャン電極を備えた二つの液晶表示装置を備え、それぞれの液晶表示装置を駆動するためのドライバが二つ備えられている。
【００１０】
このような構成の両面液晶表示装置の動作は以下の通りである。
【００１１】
システムに電源が供給されると、制御器２１は第２メモリ２３に貯蔵されている運用プログラムをアクセスして、システムの初期化ブートを維持した状態で、外部から文字や数字又は図形のディスプレイのための信号の入力を検出する。この際、外部から信号の入力が検出されると、制御器２１は入力信号を第１メモリ２２及び第２メモリ２３に設定している運用アルゴリズム及び分析プログラムを通して分析した後、文字や数字、又は図形のディスプレイのための制御信号を第１、第２駆動部２４ａ、２４ｂの側に印加する。
【００１２】
第１、第２駆動部２４ａ、２４ｂは前記制御器２１から入力されるディスプレイのための制御信号に従って、システムの任意位置の内外部の側に両面ディスプレイのために付着された第１、第２液晶表示装置２６ａ、２６ｂのスキャン電極と信号電極に、該文字や数字又は図形のディスプレイのためのドライブ信号を印加して、第１、第２液晶表示装置２６ａ、２６ｂに同一文字や数字又は図形をディスプレイさせる。
【００１３】
この際、第１、第２フレームメモリ２５ａ、２５ｂは制御器２１からの文字や数字又は図形をディスプレイするための制御信号をフレーム単位で貯蔵した後、前記第１、第２駆動部２４ａ、２４ｂのアクセス信号に従って、該メモリ領域に貯蔵されているフレーム単位の信号を出力して、前記第１、第２液晶表示装置２６ａ、２６ｂの該文字や数字又は図形のディスプレイを安定に維持させる。
【発明の開示】
【発明が解決しようとする課題】
【００１４】
しかし、上記のような従来の両面表示装置は次のような問題点があった。
【００１５】
第一、文字や数字又は図形を両面ディスプレイするためには、別途の二つの液晶表示装置を用いなければならず、その二つの液晶表示装置を駆動するためには、それぞれに対応する駆動装置を備えなければならない。そして、両面同時ディスプレイのためには重複した制御アルゴリズムが用いられ、電力消費が増加して、システムの製作原価が上昇する。
【００１６】
第二、二つの液晶表示装置の駆動のためにはそれに対応する駆動装置が備えられなければならず、システム内部の空間を相当占めるようになるから、製品の軽量化及び小型化を阻害する。例えば、フォルダー型移動通信端末機で発信者情報や受信文字、時間情報などがフォルダーカバーを開放せずに確認できるようにするために、二つの液晶表示装置をフォルダーカバーの内外部面にそれぞれ取り付けなければならないから、小型化、軽量化のためのフォルダー型移動通信端末機の趣旨を離れるものとなる。また、高価な液晶表示装置及び駆動装置の追加により値段が上昇する不具合があった。
【００１７】
本発明は上記問題点を解決するために成されたものであって、一つの液晶表示装置が両面ディスプレイされるようにすることで、製作原価を節減し、移動通信端末機に適用する場合、フォルダーカバーを開放せずに発信者情報や受信メッセージ及び時間情報などが確認できるなどの便利性を提供する、スリム化及び軽量化のための液晶表示装置及びこれを用いた移動通信端末機を提供することにその目的がある。
【課題を解決するための手段】
【００１８】
上記目的を達成するための本発明の液晶表示装置は、共通電極を備えた第１基板と、ｎ個のスキャン電極とｍ個の信号電極を備えた第２基板と、第１、第２基板の間に注入された液晶層とを備えた液晶表示装置を第１領域と第２領域とに区分して、第１領域は第１方向にディスプレイされ、第２領域は第２方向にディスプレイされるように偏光板と反射板が対称的に配置されることを特徴とする。
【００１９】
上記目的を達成するための本発明の液晶表示装置の他の特徴は、第１基板と、前記第１基板の下側に位置した第２基板と、第１基板と第２基板との間に形成された液晶層と、第１基板の第１位置に形成された第１正面偏光板と、第１基板の第２位置に形成された第１後面偏光板と、第１基板の第２位置で後面偏光板の上に位置した第１反射板と、第２基板の第１位置の下に形成された第２後面偏光板と、第２基板の第１位置の下に第２後面偏光板の下に位置した第２反射板と、第２基板の第２位置の下に位置する第２正面偏光板とを含むことにある。
【００２０】
上記目的を達成するための移動通信端末機は、開と閉の位置の間を移動し、所定の領域に窓を有するフォルダーカバーと、第１領域と第２領域とに区分され、第１領域と第２領域が互いに反対方向に表示され、第２領域が前記窓を介して外部に表示されるよう前記フォルダーカバーの内側に形成される液晶表示装置と、液晶表示装置を駆動する駆動部とを備えることを特徴とする。
【発明の効果】
【００２１】
以上で説明したような本発明の両面表示機能を有する液晶表示装置においては次のような効果がある。
【００２２】
第一、一つの液晶表示装置を二つの領域に区分して一つの駆動部に駆動し、第１領域は正面の側に表示して第２領域は後面の側に表示するので、別途の二つの液晶表示装置を備えずにも両面に表示することができ、限定した空間を効率よく用いることにより軽量化及び小型化を達成することができる。
【００２３】
第二、本発明の両面表示液晶表示装置を移動通信端末機のフォルダーに適用することによって、フォルダーカバーの閉状態でも着信呼に対する発信者の確認や文字メッセージの受信可否及び時間情報などが表示されるので、フォルダーカバーを開けずに諸般状況を認知することができ、使用に便利である。
【００２４】
第三、一つの駆動部を用いて両面表示機能を有した液晶表示装置を駆動できるので、消費電力が減らせ、更に、本発明の液晶表示装置が移動通信端末機に適用される場合、一回の充電で使用可能な時間を延長することができる。
【発明を実施するための最良の形態】
【００２５】
以下、添付の図面を参照にして本発明の好ましい一実施形態を詳細に説明する。
【００２６】
図３は本発明の一実施形態による両面表示液晶表示装置の構造断面図である。
【００２７】
図３に示すように、本発明の液晶表示装置はスキャン電極パターン及び信号電極パターンと画素電極パターンが形成され、前記パターンの上に配向層が形成された下部基板１００ｂと、共通電極パターンとカラーフィルター層などが形成される上部基板１００ａと、前記上部基板１００ａと下部基板１００ｂとの間の空隙に注入された液晶層１００ｃにより基本的な液晶表示装置１００が形成されている。ここで、前記液晶層は液晶層を通過時光の位相が変化する第１スイッチング状態と、光の位相が変化しない第２スイッチング状態を有する。
【００２８】
そして、前記基本液晶表示装置１００でＡ側方向とＢ側方向に文字や数字又は図形がディスプレイされるよう基準面Ｒを設定して、前記基本的な液晶表示装置１００を所定の比率で分割して、第１領域Ａと第２領域Ｂとに区分する。
【００２９】
この際、液晶表示装置を第１領域Ａと第２領域Ｂとに区分する方法は、ｍ個の信号ラインを共通にして、ｎ個のスキャン電極を１からｋ番目までを第１領域、ｋ＋１からｎ番目までを第２領域に分けられる。また、ｎ個のスキャン電極を共通にして、ｍ個の信号ラインのうち１からｋ番目までを第１領域、ｋ＋１からｍ番目までを第２領域に区分でき、第１領域が第２領域より更に大きな面積を有するようにする。
【００３０】
そして、文字、数字または図形がディスプレイされる過程で光の屈折により発生する位相差を補償するための第１正面偏光板１０１と、第２後面偏光板１０２が前記分割した基本液晶表示装置１００の第１領域Ａの上側及び下側にそれぞれ配置され、前記第２後面偏光板１０２の下側に、液晶から発生した光をＡ側の方向に反射させる第２反射板１０３が配置される。
【００３１】
また、前記基準点Ｒを介して分割された基本液晶表示装置１００において、文字、数字又は図形のディスプレイ過程で光の屈折により発生する位相差を補償するための第１後面偏光板１０２ａと第２正面偏光板１０１ａが第２領域Ｂの上側及び下側にそれぞれ配置され、前記第１後面偏光板１０２ａの上側に第２反射板１０３ａが配置される。即ち、前記第１正面偏光板１０１は前記第２後面偏光板１０２及び第２反射板１０３と実質的に整列され、前記第２正面偏光板１０１ａは前記第１後面偏光板１０２ａ及び第１反射板１０３ａと実質的に整列されることを特徴としている。
【００３２】
前記基本液晶表示装置１００の電極パターンの構造はドットマトリックス方式やセグメント方式、又はドットマトリックス方式とセグメント方式とを混用した方式を適用する。
【００３３】
前記したように、一つの基本液晶表示装置１００が基準点Ｒを中心に分割され、両側面のディスプレイが可能であるようにした液晶表示装置を移動通信端末機のフォルダーに装着する場合、液晶表示装置の第１領域Ａがフォルダーの内側面に設けられ主画面として動作し、液晶表示装置の第２領域Ｂがフォルダーの外側面に設けられ副画面として動作するようにする。その具体的な状態は図５及び図６に図示した。
【００３４】
図５は本発明によるフォルダーが開いた状態の移動通信端末機の表示装置の構成図であり、図６は本発明によるフォルダーが閉まっている状態の移動通信端末機の表示装置構成図である。
【００３５】
図５に示すように、移動通信端末機は本体２３０とフォルダーカバー２１０とに分離され、その本体２３０とフォルダーカバー２１０はヒンジ２４０結合されている。そして、本体２３０にはフォルダーカバー２１０の開閉状態を感知するためのフォルダースイッチ２２０が設けられ、フォルダーカバー２１０の内側面には主画面２２０ａの液晶表示装置の第１領域Ａが表示され、フォルダーカバー２１０の外側面には副画面２００ｂの液晶表示装置の第２領域Ｂが表示されるように構成されている。
【００３６】
前記したように、主画面２００ａの液晶表示装置の第１領域Ａ及び副画面２００ｂの液晶表示装置の第２領域Ｂを一つの駆動部１００で駆動して、数字や文字又は図形のグラフィックを表示するためのシステムの構成は以下の通りである。
【００３７】
図４は本発明の移動通信端末機の表示装置の駆動を示す構成図である。
【００３８】
図４に示すように、液晶表示装置を二つの領域に区分して、一つの駆動部を介して駆動するための本発明の移動端末機の表示装置は、制御器１４０、ＲＡＭ１５０、ＲＯＭ１６０、ＬＣＤ制御器、フレームメモリ１８０及び、二つの領域に区分された液晶表示装置１９０から成っている。
【００３９】
ここで、制御器１４０は前記液晶表示装置１９０のディスプレイのための全般的な動作を制御し、特に、図５で分かるように、フォルダーカバー２１０の開閉によりスイッチングされるフォルダースイッチ２２０の信号に従って、フォルダーカバー２１０の内面側に形成された第１領域Ａを活性化させたり、図６で分かるように、フォルダーカバー２１０の外側に形成され、着信号時発信者の情報、受信メッセージ、現在の時間など簡略な情報を提供する第２領域Ｂを活性化させる。
【００４０】
ＲＡＭ１５０は揮発性メモリ素子として、入力信号の一時貯蔵やブートしたデータを貯蔵して、制御器１４０の処理動作が迅速に行われるようにする。 そして、ＲＯＭ１６０は不揮発性メモリ素子として制御器１４０の全般的な運用アルゴリズムを設定する。
【００４１】
前記ＬＣＤ駆動部１７０は前記制御器１４０で文字や数字、又は図形のグラフィックのために印加される制御信号に従ってｍ個の信号電極とｎ個のスキャン電極の駆動を調整して、フォルダーカバー２１０の内／外部面に配置される第１領域Ａ及び第２領域Ｂのディスプレイを選択的にドライブする。
【００４２】
即ち、前述したように、ｍ個の信号ラインを共通にして、ｎ個のスキャン電極を１からｋまでを第１領域、ｋ＋１からｎまでを第２領域に分けた場合、前記制御器１４０はフォルダースイッチ２２０によってフォルダーが開いていると判断されると、液晶表示装置の第１領域のみ表示されるよう前記ＬＣＤ駆動部１７０を制御する。従って、前記ＬＣＤ駆動部１７０は信号ラインとスキャンラインに駆動信号を印加するが、スキャン電極のうち１からｋ番目までにのみ駆動信号を印加して、第１領域のみディスプレイされるようにする。
【００４３】
逆に、フォルダースイッチ２２０からフォルダーが閉まっていると判断されると、制御器１４０は第２領域のみ表示されるよう前記ＬＣＤ駆動部１７０を制御するので、前記ＬＣＤ駆動部１７０はｋ＋１からｎ番目までのスキャン電極に駆動信号を印加する。
【００４４】
前記フレームメモリ１８０はディスプレイ制御のために印加される信号をフレーム単位で処理して、該文字や数字、又は図形のディスプレイが安定して維持されるようにする。
【００４５】
本発明の液晶表示装置が図５及び図６のように移動通信端末機に設けられた時の動作を以下に説明する。
【００４６】
移動通信端末機に電源が供給される状態でシステムオン信号が検出されると、制御器１４０はヒンジ２４０の軸を中心に開閉されるフォルダーカバー２１０の開閉によってスイッチングされるフォルダースイッチ２２０の信号を分析する。
【００４７】
そのフォルダースイッチ２２０の信号によりフォルダーカバー２１０が閉まっていると認識されると、制御器１４０はフォルダーカバー２１０の外側に形成された副画面２００ｂの第２領域Ｂを介して情報をディスプレイするためのモードと判断して、それに対する制御信号をＬＣＤ駆動部１７０の側に印加する。
【００４８】
この際、ＬＣＤ駆動部１７０は印加される制御信号に従って、フォルダー型移動通信端末機の諸般の動作状況を、フォルダーカバー２１０の外側に形成される副画面２００ｂの第２領域Ｂを介してディスプレイする。
【００４９】
以後、前記のように、移動通信端末機の諸般の情報がフォルダーカバー２１０の外側に形成された副画面２００ｂを介してディスプレイされる状態で、フォルダースイッチ２２０によってフォルダーカバー２１０が開いていると判断されると、制御器１４０はフォルダーカバー２１０の外側に形成された副画面２００ｂのディスプレイから内側に形成された主画面２００ａの第１領域Ａのディスプレイに切換を行うための制御信号をＬＣＤ駆動部１７０の側に印加する。すると、前記ＬＣＤ駆動部１７０によるスキャン電極と信号電極との適切な接点を選択することでフォルダーカバー２１０の内面側の主画面２００ａを活性化させ、諸般の動作状況をディスプレイすると同時に、副画面２００ｂを不活性化させる。
【図面の簡単な説明】
【００５０】
【図１】従来の液晶表示装置の構造断面図。
【図２】従来の液晶表示装置を用いて実現した両面表示装置の構成図。
【図３】本発明の一実施形態による両面表示液晶表示装置の構造断面図。
【図４】本発明による移動通信端末機の両面表示液晶表示装置の構成ブロック図。
【図５】本発明によるフォルダーが開いた状態における移動通信端末機の表示装置の構成図。
【図６】本発明によるフォルダーが閉まっている状態における移動通信端末機の表示装置の構成図。
【符号の説明】
【００５１】
２１ 制御器
【図１】
2005055926.tif 000003
【図２】
2005055926.tif 000004
【図３】
2005055926.tif 000005
【図４】
2005055926.tif 000006
【図５】
2005055926.tif 000007
【図６】
2005055926.tif 000008